(57)【要約】【課題】広い範囲でアクティブ型無線ＩＣタグからの電波を受信することが出来るアンテナ装置を提供する。【解決手段】アクティブ型無線ＩＣタグ（Ｔ）が通過する空間（Ｓ）を挟んで一方側に円偏波平面アンテナ（１）を設置し、反対側に反射板（２’）を設置する。【効果】反射板（２’）で反射したアクティブ型無線ＩＣタグ（Ｔ）からの電波をも受信でき、広い範囲でアクティブ型無線ＩＣタグ（Ｔ）からの電波を受信することが出来る。【選択図】図１
2007129416.tif 000002
【特許請求の範囲】
【請求項１】
アクティブ型無線ＩＣタグ（Ｔ）からの電波を受信するためのアンテナ装置であって、アクティブ型無線ＩＣタグ（Ｔ）が通過する空間（Ｓ）を挟んで一方側に円偏波平面アンテナ（１）を設置し、反対側に反射板（２’）を設置したことを特徴とするアンテナ装置。
【請求項２】
請求項１に記載のアンテナ装置において、前記円偏波平面アンテナ（１）の裏側にも反射板（２）を設置したことを特徴とするアンテナ装置。
【請求項３】
請求項１または請求項２に記載のアンテナ装置において、アクティブ型無線ＩＣタグ（Ｔ）が通過する方向に２以上の前記円偏波平面アンテナ（１，１’）を並べて設置したことを特徴とするアンテナ装置。
【請求項４】
請求項１または請求項２に記載のアンテナ装置において、アクティブ型無線ＩＣタグ（Ｔ）が通過する方向と交差する方向に２以上の前記円偏波平面アンテナ（１，１’）を並べて設置したことを特徴とするアンテナ装置。
【請求項５】
アクティブ型無線ＩＣタグ（Ｔ）からの電波を受信するためのアンテナ装置であって、アクティブ型無線ＩＣタグ（Ｔ）が通過する空間（Ｓ）を挟んで一対の円偏波平面アンテナ（１，１’）を対向させて設置し、各円偏波平面アンテナ（１，１’）の裏側に反射板（２，２’）を設置したことを特徴とするアンテナ装置。
【請求項６】
アクティブ型無線ＩＣタグ（Ｔ）からの電波を受信するためのアンテナ装置であって、アクティブ型無線ＩＣタグ（Ｔ）が通過する空間（Ｓ）を挟んで一方側に第１の円偏波平面アンテナ（１）を設置し、反対側であってアクティブ型無線ＩＣタグ（Ｔ）が通過する方向に位置をずらせた設置位置に第２の円偏波平面アンテナ（１’）を設置し、各円偏波平面アンテナ（１，１’）の裏側に反射板（２，２’）を設置したことを特徴とするアンテナ装置。
【請求項７】
請求項６に記載のアンテナ装置において、前記第１の円偏波平面アンテナ（１）を前記第２の円偏波平面アンテナ（１’）側に傾けると共に前記第２の円偏波平面アンテナ（１’）を前記第１の円偏波平面アンテナ（１）側に傾けたことを特徴とするアンテナ装置。
【請求項８】
請求項２から請求項７に記載のアンテナ装置を２以上並べると共に隣接するアンテナ装置間の反射板（２１，２２）は共用としたことを特徴とするアンテナ装置。
【発明の詳細な説明】
【技術分野】
【０００１】
本発明は、アンテナ装置に関し、さらに詳しくは、広い範囲でアクティブ型無線ＩＣタグからの電波を受信することが出来るアンテナ装置に関する。
【背景技術】
【０００２】
従来、マイクロ波ＩＣカードと通信するために円偏波アンテナを使ったゲート通過管理装置が知られている（例えば、特許文献１参照。）。
【特許文献１】特開２００５−２３６６６号公報
【発明の開示】
【発明が解決しようとする課題】
【０００３】
上記従来のゲート通過管理装置では、円偏波アンテナの通信可能範囲が狭いという問題点があった。
そこで、本発明の目的は、広い範囲でアクティブ型無線ＩＣタグからの電波を受信することが出来るアンテナ装置を提供することにある。
【課題を解決するための手段】
【０００４】
第１の観点では、本発明は、アクティブ型無線ＩＣタグ（Ｔ）からの電波を受信するためのアンテナ装置であって、アクティブ型無線ＩＣタグ（Ｔ）が通過する空間（Ｓ）を挟んで一方側に円偏波平面アンテナ（１）を設置し、反対側に反射板（２’）を設置したことを特徴とするアンテナ装置を提供する。
上記第１の観点によるアンテナ装置では、円偏波平面アンテナ（１）を使うため、例えば、所持者の胸部に着用したり、首から吊り下げて利用することにより、アクティブ型無線ＩＣタグ（Ｔ）のアンテナの指向性が円偏波平面アンテナ（１）の電波の受信方向に対して概略一致していれば、受信方向軸に関してアクティブ型無線ＩＣタグ（Ｔ）が回転しても受信利得が変化しないためフェージングが生じにくく、安定した通信を行うことが出来る。そして、円偏波平面アンテナ（１）に対向して反射板（２’）を設置しているため、反射板（２’）で反射したアクティブ型無線ＩＣタグ（Ｔ）からの電波をも受信でき、広い範囲でアクティブ型無線ＩＣタグ（Ｔ）からの電波を受信することが出来る。
【０００５】
第２の観点では、本発明は、前記第１の観点によるアンテナ装置において、前記円偏波平面アンテナ（１）の裏側にも反射板（２）を設置したことを特徴とするアンテナ装置を提供する。
上記第２の観点によるアンテナ装置では、円偏波平面アンテナ（１）の裏側にも反射板（２）を設置しているため、反射板（２）で反射し更に反射板（２’）で反射したアクティブ型無線ＩＣタグ（Ｔ）からの電波をも受信でき、広い範囲でアクティブ型無線ＩＣタグ（Ｔ）からの電波を受信することが出来る。
【０００６】
第３の観点では、本発明は、前記第１または前記第２の観点によるアンテナ装置において、アクティブ型無線ＩＣタグ（Ｔ）が通過する方向に２以上の前記円偏波平面アンテナ（１，１’）を並べて設置したことを特徴とするアンテナ装置を提供する。
上記第３の観点によるアンテナ装置では、アクティブ型無線ＩＣタグ（Ｔ）が通過する方向に２以上の円偏波平面アンテナ（１，１’）を並べて設置しているため、アクティブ型無線ＩＣタグ（Ｔ）が通過する方向に受信可能範囲を広げることが出来る。また、２以上の円偏波平面アンテナ（１，１’）で電波を受信する順序により、アクティブ型無線ＩＣタグ（Ｔ）の通過方向および通過したか否かを検出可能になる。さらに、２以上の円偏波平面アンテナ（１，１’）で受信した結果の比較を行うことができ、信頼性を向上できる。
【０００７】
第４の観点では、本発明は、前記第１または前記第２の観点によるアンテナ装置において、アクティブ型無線ＩＣタグ（Ｔ）が通過する方向と交差する方向に２以上の前記円偏波平面アンテナ（１，１’）を並べて設置したことを特徴とするアンテナ装置を提供する。
上記第４の観点によるアンテナ装置では、アクティブ型無線ＩＣタグ（Ｔ）が通過する方向と交差する方向に２以上の円偏波平面アンテナ（１，１’）を並べて設置しているため、アクティブ型無線ＩＣタグ（Ｔ）が通過する方向に交差する方向の受信可能範囲を広げることが出来る。さらに、２以上の円偏波平面アンテナ（１，１’）で受信した結果の比較を行うことができ、信頼性を向上できる。
【０００８】
第５の観点では、本発明は、アクティブ型無線ＩＣタグ（Ｔ）からの電波を受信するためのアンテナ装置であって、アクティブ型無線ＩＣタグ（Ｔ）が通過する空間（Ｓ）を挟んで一対の円偏波平面アンテナ（１，１’）を対向させて設置し、各円偏波平面アンテナ（１，１’）の裏側に反射板（２，２’）を設置したことを特徴とするアンテナ装置を提供する。
上記第５の観点によるアンテナ装置では、円偏波平面アンテナ（１，１’）を使うため、例えば、所持者の胸部に着用したり、首から吊り下げて利用することにより、アクティブ型無線ＩＣタグ（Ｔ）のアンテナの指向性が円偏波平面アンテナ（１，１’）の電波の受信方向に対して概略一致していれば、受信方向軸に関してアクティブ型無線ＩＣタグ（Ｔ）が回転しても受信利得が変化しないためフェージングが生じにくく、安定した通信を行うことが出来る。そして、アクティブ型無線ＩＣタグ（Ｔ）が通過する空間（Ｓ）を挟んで一対の円偏波平面アンテナ（１，１’）を対向させて設置し、各円偏波平面アンテナ（１，１’）の裏側に反射板（２，２’）を設置しているため、反射板（２，２’）で反射したアクティブ型無線ＩＣタグ（Ｔ）からの電波を円偏波平面アンテナ（１，１’）で受信でき、広い範囲でアクティブ型無線ＩＣタグ（Ｔ）からの電波を受信することが出来る。さらに、一対の円偏波平面アンテナ（１，１’）で受信した結果の比較を行うことができ、信頼性を向上できる。
【０００９】
第６の観点では、本発明は、アクティブ型無線ＩＣタグ（Ｔ）からの電波を受信するためのアンテナ装置であって、アクティブ型無線ＩＣタグ（Ｔ）が通過する空間（Ｓ）を挟んで一方側に第１の円偏波平面アンテナ（１）を設置し、反対側であってアクティブ型無線ＩＣタグ（Ｔ）が通過する方向に位置をずらせた設置位置に第２の円偏波平面アンテナ（１’）を設置し、各円偏波平面アンテナ（１，１’）の裏側に反射板（２，２’）を設置したことを特徴とするアンテナ装置を提供する。
上記第６の観点によるアンテナ装置では、アクティブ型無線ＩＣタグ（Ｔ）が通過する方向に位置をずらせて２つの円偏波平面アンテナ（１，１’）を設置しているため、アクティブ型無線ＩＣタグ（Ｔ）が通過する方向に受信可能範囲を広げることが出来る。また、２つの円偏波平面アンテナ（１，１’）で電波を受信する順序により、アクティブ型無線ＩＣタグ（Ｔ）の通過方向および通過したか否かを検出可能になる。さらに、２つの円偏波平面アンテナ（１，１’）で受信した結果の比較を行うことができ、信頼性を向上できる。
【００１０】
第７の観点では、本発明は、前記第６の観点によるアンテナ装置において、前記第１の円偏波平面アンテナ（１）を前記第２の円偏波平面アンテナ（１’）側に傾けると共に前記第２の円偏波平面アンテナ（１’）を前記第１の円偏波平面アンテナ（１）側に傾けたことを特徴とするアンテナ装置を提供する。
上記第７の観点によるアンテナ装置では、２つの円偏波平面アンテナ（１，１’）の受信可能範囲にオーバラップ部分を作ることにより、同時受信した結果の比較を行うことができ、信頼性を向上できる。
【００１１】
第８の観点では、本発明は、前記第２から前記第７の観点によるアンテナ装置を２以上並べると共に隣接するアンテナ装置間の反射板（２１，２２）は共用としたことを特徴とするアンテナ装置を提供する。
上記第８の観点によるアンテナ装置では、アクティブ型無線ＩＣタグ（Ｔ）が通過する空間（Ｓ）を２以上並列に設けることが出来る。また、隣接するアンテナ装置間の反射板（２１，２２）を共用することで構成を簡単化できる。
【発明の効果】
【００１２】
本発明のアンテナ装置によれば、広い範囲でアクティブ型無線ＩＣタグからの電波を受信することが出来る。
【発明を実施するための最良の形態】
【００１３】
以下、図に示す実施の形態により本発明をさらに詳細に説明する。なお、これにより本発明が限定されるものではない。
【実施例１】
【００１４】
図１の（ａ）は、実施例１にかかるアンテナ装置１０を示す平面図である。図１の（ｂ）は、アンテナ装置１０の正面図である。
このアンテナ装置１０は、アクティブ型無線ＩＣタグＴが通過する空間Ｓを挟んで一方側に円偏波平面アンテナ１を設置し、反対側に反射板２’を設置した構成である。
【００１５】
円偏波平面アンテナ１は、１ｍ×１ｍの正方形の受信面を有し、中心部の高さが床から１ｍになるように支柱３で支持されている。
反射板２’は、アクティブ型無線ＩＣタグＴが発するＵＨＦ帯の電波を反射する金属板や、導電性を有するフィルムを貼った樹脂板や、金網板である。高さは２ｍ、長さは５ｍである。
【００１６】
アンテナ装置１０によれば、円偏波平面アンテナ１を使うため、アクティブ型無線ＩＣタグＴのアンテナの指向性が円偏波平面アンテナ１の電波の受信方向に対して概略一致していれば、受信方向軸に関してアクティブ型無線ＩＣタグＴが回転しても受信利得が変化しないためフェージングが生じにくく、安定した通信を行うことが出来る。そして、円偏波平面アンテナ１に対向して反射板２’を設置しているため、反射板２’で反射したアクティブ型無線ＩＣタグＴからの電波をも受信でき、広い範囲でアクティブ型無線ＩＣタグＴからの電波を受信することが出来る。
【実施例２】
【００１７】
図２の（ａ）は、実施例２にかかるアンテナ装置２０を示す平面図である。図２の（ｂ）は、アンテナ装置２０の正面図である。
このアンテナ装置２０は、アクティブ型無線ＩＣタグＴが通過する空間Ｓを挟んで一方側に円偏波平面アンテナ１を設置し、反対側に反射板２’を設置し、円偏波平面アンテナ１の裏側に反射板２を設置した構成である。
【００１８】
アンテナ装置２０によれば、円偏波平面アンテナ１の裏側にも反射板２を設置しているため、反射板２で反射し更に反射板２’で反射したアクティブ型無線ＩＣタグＴからの電波をも受信でき、広い範囲でアクティブ型無線ＩＣタグＴからの電波を受信することが出来る。また、空間Ｓ外からの妨害電波を反射板２，２’が遮る効果もある。
【実施例３】
【００１９】
図３の（ａ）は、実施例３にかかるアンテナ装置３０を示す平面図である。図３の（ｂ）は、アンテナ装置３０の正面図である。
このアンテナ装置３０は、アクティブ型無線ＩＣタグＴが通過する空間Ｓを挟んで一方側に２つの円偏波平面アンテナ１，１’をアクティブ型無線ＩＣタグＴが通過する方向に並べて設置し、反対側に反射板２’を設置し、円偏波平面アンテナ１，１’の裏側に反射板２を設置した構成である。
【００２０】
アンテナ装置３０によれば、アクティブ型無線ＩＣタグＴが通過する方向に円偏波平面アンテナ１，１’を並べて設置しているため、アクティブ型無線ＩＣタグＴが通過する方向に受信可能範囲を広げることが出来る。また、円偏波平面アンテナ１，１’で電波を受信する順序により、アクティブ型無線ＩＣタグＴの通過方向および通過したか否かを検出可能になる。さらに、円偏波平面アンテナ１，１’で受信した結果の比較を行うことができ、信頼性を向上できる。
【実施例４】
【００２１】
図４の（ａ）は、実施例４にかかるアンテナ装置４０を示す平面図である。図４の（ｂ）は、アンテナ装置４０の正面図である。
このアンテナ装置４０は、アクティブ型無線ＩＣタグＴが通過する空間Ｓを挟んで一方側に２つの円偏波平面アンテナ１，１’を上下方向に並べて設置し、反対側に反射板２’を設置し、円偏波平面アンテナ１，１’の裏側に反射板２を設置した構成である。
【００２２】
アンテナ装置４０によれば、上下方向に円偏波平面アンテナ１，１’を並べて設置しているため、上下方向に受信可能範囲を広げることが出来る。また、円偏波平面アンテナ１，１’で受信した結果の比較を行うことができ、信頼性を向上できる。
【実施例５】
【００２３】
図５の（ａ）は、実施例５にかかるアンテナ装置５０を示す平面図である。図５の（ｂ）は、アンテナ装置５０の正面図である。
このアンテナ装置５０は、アクティブ型無線ＩＣタグＴが通過する空間Ｓを挟んで一対の円偏波平面アンテナ１，１’を対向させて設置し、各円偏波平面アンテナ１，１’の裏側に反射板２，２’を設置した構成である。
【００２４】
アンテナ装置５０によれば、アクティブ型無線ＩＣタグＴが通過する空間Ｓを挟んで一対の円偏波平面アンテナ１，１’を対向させて設置し、各円偏波平面アンテナ１，１’の裏側に反射板２，２’を設置しているため、反射板２，２’で反射したアクティブ型無線ＩＣタグＴからの電波を円偏波平面アンテナ１，１’で受信でき、広い範囲でアクティブ型無線ＩＣタグＴからの電波を受信することが出来る。さらに、一対の円偏波平面アンテナ１，１’で受信した結果の比較を行うことができ、信頼性を向上できる。
【実施例６】
【００２５】
図６の（ａ）は、実施例６にかかるアンテナ装置６０を示す平面図である。図６の（ｂ）は、アンテナ装置６０の正面図である。
このアンテナ装置６０は、アクティブ型無線ＩＣタグＴが通過する空間Ｓを挟んで一方側に第１の円偏波平面アンテナ１を設置し、反対側であってアクティブ型無線ＩＣタグＴが通過する方向に位置をずらせた設置位置に第２の円偏波平面アンテナ１’を設置し、各円偏波平面アンテナ１，１’の裏側に反射板２，２’を設置し、第１の円偏波平面アンテナ１を第２の円偏波平面アンテナ１’側に傾けると共に第２の円偏波平面アンテナ１’を第１の円偏波平面アンテナ１側に傾けた構成である。
【００２６】
アンテナ装置６０によれば、アクティブ型無線ＩＣタグＴが通過する方向に位置をずらせて２つの円偏波平面アンテナ１，１’を設置しているため、アクティブ型無線ＩＣタグＴが通過する方向に受信可能範囲を広げることが出来る。また、２つの円偏波平面アンテナ１，１’で電波を受信する順序により、アクティブ型無線ＩＣタグＴの通過方向および通過したか否かを検出可能になる。また、２つの円偏波平面アンテナ１，１’で受信した結果の比較を行うことができ、信頼性を向上できる。さらに、２つの円偏波平面アンテナ１，１’の受信可能範囲にオーバラップ部分を作ることにより、同時受信した結果の比較を行うことができ、信頼性を向上できる。
【実施例７】
【００２７】
図７の（ａ）は、実施例７にかかるアンテナ装置７０を示す平面図である。図７の（ｂ）は、アンテナ装置７０の正面図である。
このアンテナ装置７０は、実施例２にかかるアンテナ装置２０を２以上並べると共に隣接するアンテナ装置間の反射板２１，２２は共用とした構成である。
【００２８】
アンテナ装置７０によれば、アクティブ型無線ＩＣタグＴが通過する空間Ｓを２以上並列に設けることが出来る。また、隣接するアンテナ装置間の反射板２１，２２を共用することで構成を簡単化できる。
【実施例８】
【００２９】
実施例３〜実施例６にかかるアンテナ装置３０〜６０を２以上並べると共に隣接するアンテナ装置間の反射板を共用とした構成としてもよい。
【産業上の利用可能性】
【００３０】
本発明のアンテナ装置は、ゲート通過管理装置に好適である。
【図面の簡単な説明】
【００３１】
【図１】実施例１に係るアンテナ装置を示す平面図および正面図である。
【図２】実施例２に係るアンテナ装置を示す平面図および正面図である。
【図３】実施例３に係るアンテナ装置を示す平面図および正面図である。
【図４】実施例４に係るアンテナ装置を示す平面図および正面図である。
【図５】実施例５に係るアンテナ装置を示す平面図および正面図である。
【図６】実施例６に係るアンテナ装置を示す平面図および正面図である。
【図７】実施例７に係るアンテナ装置を示す平面図および正面図である。
【符号の説明】
【００３２】
１，１’              円偏波平面アンテナ
２，２’              反射板
３                    支柱
１０〜７０            アンテナ装置
Ｔ                    アクティブ型無線ＩＣタグ
Ｓ                    アクティブ型無線ＩＣタグが通過する空間
【図１】
2007129416.tif 000003
【図２】
2007129416.tif 000004
【図３】
2007129416.tif 000005
【図４】
2007129416.tif 000006
【図５】
2007129416.tif 000007
【図６】
2007129416.tif 000008
【図７】
2007129416.tif 000009